(57)【特許請求の範囲】
【請求項１】
コンロッドが接続されたクランクピンを含むクランク軸と、前記クランク軸に接続された入力軸と出力軸とを含む有段式自動変速装置と、前記クランク軸と前記有段式自動変速装置とを収納するケーシングとを有し、前記クランク軸よりも後方かつ前記有段式自動変速装置の車幅方向内側において、モーターサイクルの車輪の少なくとも一部が前記クランクピンよりも車幅方向外側に位置するように前記モーターサイクルに対して取り付けられるパワーユニットであって、
前記ケーシングは、前記有段式自動変速装置を収納する変速装置室が形成された変速装置収納部を有し、
前記変速装置収納部は、前記有段式自動変速装置の車幅方向内側かつ前記車輪の車幅方向外側に位置する内側壁と、前記有段式自動変速装置の車幅方向外側に位置する外側壁とを含み、
前記有段式自動変速装置は、
前記入力軸と前記出力軸との間に配置された第１の回転軸と、
前記入力軸と共に回転する入力側クラッチ部材と、前記入力軸に対して回転可能な出力側クラッチ部材とを有する第１のクラッチと、
前記第１のクラッチの出力側クラッチ部材と共に回転する第１の変速用ギアと、前記第１の回転軸上に配置され、前記第１の変速用ギアと噛合する第２の変速用ギアとを有し、前記入力軸の回転を前記第１の回転軸に伝達する一方、前記第１の回転軸の回転を前記入力軸に伝達しない第１のギア対と、
前記入力軸上に設けられ、前記入力軸に対して回転可能な第３の変速用ギアと、前記第３の変速用ギアと噛合し、前記第１の回転軸と共に回転する第４の変速用ギアとを有し、前記第１のギア対よりも小さなギア比を有する第２のギア対と、
前記第３の変速用ギアと共に回転する入力側クラッチ部材と、前記第１の変速用ギアと共に回転する出力側クラッチ部材とを有し、前記第１のクラッチが接続されるときの前記入力軸の回転速度よりも高い回転速度で接続される第２のクラッチと、
前記第１の回転軸の回転を前記出力軸に伝達する動力伝達機構と、
を有し、
前記外側壁に回転可能に支持されたキック軸と、
前記キック軸と共に回転するキックペダルと、
前記キック軸と前記クランク軸との間に設けられた中間軸と、
前記キック軸に設けられ、前記第１及び第２のギア対よりも車幅方向の外側に配置された第１のキック用ギアと、前記中間軸に設けられ、前記第１のキック用ギアと噛合する第２のキック用ギアとを有し、前記キック軸の回転を前記中間軸に伝達するキック用伝達ギア対と、
前記中間軸の前記第２のキック用ギアよりも車幅方向の内側の部分に設けられた第３のキック用ギアと、前記入力軸の前記第１及び第３の変速用ギアよりも車幅方向の内側の部分に回転不能に設けられており、前記第３のキック用ギアと直接または間接的に噛合する第６のキック用ギアと、
を備え、
前記第２及び第４の変速用ギアの少なくとも一部は、前記内側壁の車幅方向外側に位置しているパワーユニット。
【請求項２】
請求項１に記載されたパワーユニットにおいて、
前記コンロッドと前記クランク軸とを含むエンジンを備え、
前記エンジンは、単気筒エンジンまたはＶツインエンジンであるパワーユニット。
【請求項３】
請求項１に記載されたパワーユニットにおいて、
前記入力軸は、前記入力軸の軸心と前記クランク軸の軸心とが略同一直線上に位置するように配置されているパワーユニット。
【請求項４】
請求項１に記載されたパワーユニットにおいて、
前記有段式自動変速装置は、
前記中間軸と前記クランク軸との間に設けられた別の中間軸と、
前記第３のキック用ギアと噛合し、前記別の中間軸と共に回転する第４のキック用ギアと、
前記別の中間軸と共に回転し、前記第６のキック用ギアと噛合している第５のキック用ギアと、
をさらに有するパワーユニット。
【請求項５】
請求項４に記載されたパワーユニットにおいて、
前記別の中間軸は、バランサ軸であるパワーユニット。
【請求項６】
請求項１に記載されたパワーユニットにおいて、
前記クランク軸を回転させるセルモータをさらに備えるパワーユニット。
【請求項７】
請求項６に記載されたパワーユニットにおいて、
直接または間接的に前記クランク軸の前記第１の変速用ギアよりも車幅方向内側の部分に噛合し、前記セルモータの回転を前記クランク軸に伝達するセルモータ用ギアをさらに備えるパワーユニット。
【請求項８】
請求項１に記載のパワーユニットを備えたモーターサイクル。
【発明の詳細な説明】
【技術分野】
【０００１】
本発明はパワーユニット及びそれを備えたモーターサイクルに関する。
【背景技術】
【０００２】
モーターサイクルでは、ライダーが車体を傾斜させることで方向転換が行われる。このため、モーターサイクルにおいては、車幅が狭いことが好ましい。また、近年、自動変速装置を用いたモーターサイクルに対するニーズが高まってきている。従って、車幅方向にスリムな有段式自動変速装置が求められている。
【０００３】
例えば、特許文献１には、３速の有段式自動変速装置を用いたモーターサイクルが開示されている。特許文献１では、有段式自動変速装置の複数のクラッチが前後方向に配列されている。これにより、比較的幅狭の有段式自動変速装置が実現されている。
【特許文献１】実開昭６２−２３３４９号公報
【発明の開示】
【発明が解決しようとする課題】
【０００４】
ところで、特許文献１に記載された有段式自動変速装置では、複数の変速用クラッチを有するプラネタリーギアが、クランク軸上に設けられている。このように、プラネタリーギアを用いることにより、クランク軸上のみにおいて変速を行うことが可能になる。しかしながら、プラネタリーギアは、比較的複雑な構成を有する。よって、自動変速装置の構成が複雑となる。
【０００５】
また、複雑な構成を有するプラネタリーギアをクランク軸上に配置することによって、クランク軸の軸線方向における有段式自動変速装置の大きさが大きくなる。特に、特許文献１に記載された有段式自動変速装置では、クランク軸のプラネタリーギアよりも車幅方向外側の部分に、キック軸からの回転が伝達されるギアが設けられている。従って、特許文献１に記載された有段式自動変速装置は、クランク軸の軸線方向における有段式自動変速装置の大きさが特に大きいという問題を有する。
【０００６】
本発明は、かかる点に鑑みてなされたものであり、その目的は、クランク軸に接続された入力軸上に複数の変速用クラッチが配置された有段式自動変速装置を有するパワーユニットであって、シンプルな構成を有し、クランク軸の軸線方向における大きさが小さいパワーユニットを提供することにある。
【課題を解決するための手段】
【０００７】
本発明に係るパワーユニットは、有段式自動変速装置と、ケーシングとを有している。有段式自動変速装置は、クランク軸と、入力軸と、出力軸とを含む。クランク軸は、クランクピンを含む。クランクピンには、コンロッドが接続されている。入力軸は、クランク軸に接続されている。ケーシングは、クランク軸と有段式自動変速装置とを収納している。本発明に係るパワーユニットは、クランク軸よりも後方かつ有段式自動変速装置の車幅方向内側において、モーターサイクルの車輪の少なくとも一部がクランクピンよりも車幅方向外側に位置するようにモーターサイクルに対して取り付けられる。
【０００８】
ケーシングは、変速装置収納部を有している。変速装置収納部には、変速装置室が形成されている。変速装置室には、有段式自動変速装置が収納されている。変速装置収納部は、内側壁と、外側壁とを含む。内側壁は、有段式自動変速装置の車幅方向内側かつ車輪の車幅方向外側に位置している。外側壁は、有段式自動変速装置の車幅方向外側に位置している。
【０００９】
有段式自動変速装置は、第１の回転軸と、第１のクラッチと、第１のギア対と、第２のギア対と、第２のクラッチと、動力伝達機構とを有する。第１の回転軸は、入力軸と出力軸との間に配置されている。第１のクラッチは、入力側クラッチ部材と、出力側クラッチ部材とを有する。入力側クラッチ部材は、入力軸と共に回転する。出力側クラッチ部材は、入力軸に対して回転可能である。第１のギア対は、第１の変速用ギアと、第２の変速用ギアとを有する。第１の変速用ギアは、第１のクラッチの出力側クラッチ部材と共に回転する。第２の変速用ギアは、第１の回転軸上に配置されている。第２の変速用ギアは、第１の変速用ギアと噛合している。第１のギア対は、入力軸の回転を第１の回転軸に伝達する一方、第１の回転軸の回転を入力軸に伝達しない。第２のギア対は、第３の変速用ギアと、第４の変速用ギアとを有する。第３の変速用ギアは、入力軸上に設けられている。第３の変速用ギアは、入力軸に対して回転可能である。第４の変速用ギアは、第３の変速用ギアと噛合している。第４の変速用ギアは、第１の回転軸と共に回転する。第２のギア対は、第１のギア対よりも小さなギア比を有する。第２のクラッチは、入力側クラッチ部材と、出力側クラッチ部材とを有する。入力側クラッチ部材は、第３の変速用ギアと共に回転する。出力側クラッチ部材は、第１の変速用ギアと共に回転する。第２のクラッチは、第１のクラッチが接続されるときの入力軸の回転速度よりも高い回転速度で接続される。動力伝達機構は、第１の回転軸の回転を出力軸に伝達する。
【００１０】
本発明に係るパワーユニットは、キック軸と、キックペダルと、中間軸と、キック用伝達ギア対と、第６のキック用ギアとを備えている。キック軸は、外側壁に回転可能に支持されている。キックペダルは、キック軸と共に回転する。中間軸は、キック軸とクランク軸との間に設けられている。キック用伝達ギア対は、第１のキック用ギアと、第２のキック用ギアとを有する。第１のキック用ギアは、キック軸に設けられている。第１のキック用ギアは、第１及び第２のギア対よりも車幅方向の外側に配置されている。第２のキック用ギアは、中間軸に設けられている。第２のキック用ギアは、第１のキック用ギアと噛合している。キック用伝達ギア対は、キック軸の回転を中間軸に伝達する。第６のキック用ギアは、中間軸の第２のキック用ギアよりも車幅方向の内側の部分に設けられた第３のキック用ギアと、入力軸の第１及び第３の変速用ギアよりも車幅方向の内側の部分に回転不能に設けられており、第３のキック用ギアと直接または間接的に噛合している。
【００１１】
本発明に係るパワーユニットにおいて、第２及び第４の変速用ギアの少なくとも一部は、内側壁の車幅方向外側に位置している。
【００１２】
本発明に係るモーターサイクルは、上記本発明に係るパワーユニットを備えている。
【発明の効果】
【００１３】
本発明によれば、クランク軸に接続された入力軸上に複数の変速用クラッチが配置された有段式自動変速装置を有するパワーユニットであって、シンプルな構成を有し、クランク軸の軸線方向における大きさが小さいパワーユニットが提供される。
【発明を実施するための最良の形態】
【００１４】
本実施形態では、本発明を実施したモーターサイクルの例として、図１に示すスクータ型車両１を例に挙げて、本発明の好ましい実施形態の一例について説明する。但し、本発明において、「モーターサイクル」は、スクータ型車両に限定されない。「モーターサイクル」は、所謂広義のモーターサイクルを意味する。具体的に、本明細書において「モーターサイクル」は、車両を傾斜させることによって方向転換を行う車両全般をいう。前輪及び後輪のうちの少なくとも一方が複数の車輪により構成されていてもよい。具体的には、「モーターサイクル」は、前輪及び後輪のうちの少なくとも一方が相互に隣接して配置された２つの車輪によって構成されている車両であってもよい。「モーターサイクル」には、狭義のモーターサイクル、スクータ型車両、モペット型車両及びオフロード型車両が少なくとも含まれる。
【００１５】
（スクータ型車両１の概略構成）
まず、図１を参照しながらスクータ型車両１の概略構成について説明する。尚、以下の説明において、前後左右といった方向は、スクータ型車両１のシート１４に着座したライダーから視た方向をいうものとする。
【００１６】
スクータ型車両１は、車体フレーム１０を備えている。車体フレーム１０は、図示しないヘッドパイプを有する。ヘッドパイプは、車両の前方部分において、下方に向かってやや斜め前方に延びている。ヘッドパイプには、図示しないステアリングシャフトが回転可能に挿入されている。ステアリングシャフトの上端部には、ハンドル１２が設けられている。一方、ステアリングシャフトの下端部には、フロントフォーク１５が接続されている。フロントフォーク１５の下端部には、従動輪としての前輪１６が回転可能に取り付けられている。
【００１７】
車体フレーム１０には、車体カバー１３が取り付けられている。車体フレーム１０の一部は、この車体カバー１３によって覆われている。車体カバー１３は、レッグシールド２７を有する。このレッグシールド２７によって車両の前面が覆われている。また、車体カバー１３は、レッグシールド２７よりも後方に配置され、車両の左右両側に設けられた足載せ台１７を有している。足載せ台１７には、足載せ面１７ａが形成されている。スクータ型車両１のライダーの足は、この足載せ面１７ａに載せられる。
【００１８】
左右両側の足載せ台１７の間には、車体カバー１３の一部を構成するセンターカバー２６が配置されている。センターカバー２６は足載せ台１７の足載せ面１７ａから上方に向かって突出し、前後方向に延びるトンネル状に形成されている。車体カバー１３のセンターカバー２６よりも後方の部分には、ライダーが着座するシート１４が取り付けられている。また、車両のほぼ中央において、車体フレーム１０には、サイドスタンド２３が取り付けられている。
【００１９】
車体フレーム１０には、エンジンユニット２０が揺動可能に懸架されている。具体的に、エンジンユニット２０は、スイングユニット式のエンジンである。エンジンユニット２０には、エンジンブラケット２１が一体結合されている。エンジンユニット２０は、このエンジンブラケット２１を介して、車体フレーム１０のピボット軸１９に揺動可能に取り付けられている。また、エンジンユニット２０には、クッションユニット２２の一端が取り付けられている。クッションユニット２２の他端は、車体フレーム１０の後部に取り付けられている。このクッションユニット２２によって、エンジンユニット２０の揺動が抑制される。
【００２０】
エンジンユニット２０は、エンジンユニット２０において発生した動力を出力する出力軸３３（図２を参照）を備えている。後輪１８は、この出力軸３３に取り付けられている。よって、後輪１８は、エンジンユニット２０において生じた動力により駆動される。つまり、本実施形態において、後輪１８は、駆動輪を構成している。
【００２１】
図２に示すように、本実施形態では、出力軸３３に対して、車速センサ８８が設けられている。具体的には、車速センサ８８は、出力軸３３と共に回転する第１４のギア８０に対して設けられている。但し、車速センサ８８は、出力軸３３以外の回転軸に対して設けられていてもよく、出力軸３３に対して一定の回転数比で回転する他の部材に設けられていてもよい。
【００２２】
（エンジンユニット２０の構成）
図２は、エンジンユニット２０の断面図である。図４は、エンジンユニット２０の構成を表す模式図である。図２に示すように、エンジンユニット２０は、エンジン３０と、変速装置３１とを備えている。尚、本実施形態ではエンジン３０が単気筒エンジンである例について説明する。但し、本発明において、エンジン３０は、単気筒エンジンに限定されない。エンジン３０は、例えば、２気筒エンジンなどの多気筒のエンジンであってもよい。
【００２３】
−エンジン３０−
エンジン３０は、クランクケース３２と、シリンダボディ３７と、シリンダヘッド４０と、クランク軸３４とを備えている。クランクケース３２の内部には、クランク室３５が区画形成されている。シリンダボディ３７の内部には、クランク室３５に開口するシリンダ３８が区画形成されている。シリンダボディ３７の先端には、シリンダヘッド４０が取り付けられている。クランク室３５には、車幅方向に延びるクランク軸３４が配置されている。クランク軸３４には、コンロッド３６が取り付けられている。コンロッド３６の先端には、シリンダ３８内に配置されたピストン３９が取り付けられている。このピストン３９とシリンダボディ３７と、シリンダヘッド４０とによって燃焼室４１が区画形成されている。シリンダヘッド４０には、先端の発火部が燃焼室４１に位置するように点火プラグ４２が取り付けられている。
【００２４】
図３は、キックスタータ１００及びセルモータ１０１を表すエンジンユニット２０の分断面図である。図１及び図３に示すように、エンジンユニット２０には、キックスタータ１００が設けられている。スクータ型車両１のライダーは、このキックスタータ１００を操作することによってエンジン３０を始動させることができる。
【００２５】
キックスタータ１００は、キックペダル２４を有する。キックペダル２４は、図１に示すように、クランク軸３４よりも後方かつ上方において、クランクケース３２の左側に配置されている。図３に示すように、キックペダル２４は、キック軸１０２に取り付けられている。キック軸１０２とクランクケース３２との間には、圧縮コイルばね１０３が設けられている。この圧縮コイルばね１０３は、ライダーの操作により回転したキック軸１０２に対して逆回転方向の付勢力を付与する。また、キック軸１０２には、ギア１０４が設けられている。一方、軸１０５には、ギア１０６が回転不能に設けられている。ギア１０４は、このギア１０６と噛合している。このギア１０４等を介して、キック軸１０２の回転がクランク軸３４に伝達される。
【００２６】
軸１０５には、ラチェット１０７が形成されている。軸１０５のラチェット１０７が形成された部分には、ラチェット１０８が取り付けられている。軸１０５が回転すると、ラチェット１０８は、ラチェット１０７によって案内されて軸１０５の軸方向右側に移動する。一方、圧縮コイルばね１０３の付勢力によって軸１０５が逆方向に回転すると、ラチェット１０８は、ラチェット１０７によって案内されて軸１０５の軸方向左側に移動する。
【００２７】
ラチェット１０８の右側端面には、係合部１０９が形成されている。一方、軸１０５に回転可能に設けられたギア１１１の左側端面には係合部１１０が形成されている。ラチェット１０８の係合部１０９は、ラチェット１０８が右方向に移動したときに係合部１１０と係合する。これにより、ラチェット１０８が右方向に移動したときには、軸１０５の回転がギア１１１に伝達する。ギア１１１は、バランサ軸１１５に形成されたギア１１６と噛合している。また、バランサ軸１１５には、ギア１２９が設けられている。ギア１２９は、バランサ軸１１５と共に回転する。ギア１２９は、クランク軸３４に形成されたギア１１７と噛合している。これにより、ギア１１１の回転は、バランサ軸１１５を介してクランク軸３４に伝達される。よって、キックペダル２４が操作されると、クランク軸３４が回転し、エンジン３０が始動される。
【００２８】
なお、キック軸１０２は、平面視において、変速装置３１をまたぐように車両中央側に延びている。すなわち、図３に示すように、キック軸１０２は、車幅方向の左側から車両中央側に延びており、変速装置３１の一部と上下方向に並ぶように配置されている。
【００２９】
また、エンジン３０には、セルモータ１０１も設けられている。セルモータ１０１は、クランクケース３２に対して取り付けられている。このセルモータ１０１の回転は、ギア１２０、１２１及び１２２を介してクランク軸３４に伝達される。これにより、ライダーの操作によりセルモータ１０１が駆動されることによって、エンジン３０が始動する。
【００３０】
−発電機４５−
クランクケース３２の右側には、発電機カバー４３が取り付けられている。この発電機カバー４３とクランクケース３２とによって、発電機室４４が区画形成されている。
【００３１】
クランク軸３４の右側端部は、クランク室３５から突出して、発電機室４４に至っている。発電機室４４内において、クランク軸３４の右側端部には、発電機４５が取り付けられている。発電機４５は、インナ４５ａと、アウタ４５ｂとを備えている。インナ４５ａは、クランクケース３２に対して回転不能に取り付けられている。一方、アウタ４５ｂは、クランク軸３４の右側端部に取り付けられている。アウタ４５ｂは、クランク軸３４と共に回転する。よって、クランク軸３４が回転すると、アウタ４５ｂはインナ４５ａに対して相対的に回転する。これによって、発電が行われる。尚、アウタ４５ｂには、ファン４６が設けられている。このファン４６がクランク軸３４と共に回転することで、エンジン３０の冷却が行われる。
【００３２】
クランクケース３２の左側には、変速装置カバー５０が取り付けられている。この変速装置カバー５０とクランクケース３２とによって、クランクケース３２の左側に位置する変速装置室５１が区画形成されている。
【００３３】
−変速装置３１の構成−
次に、主として図４を参照しながら、変速装置３１の構成について詳細に説明する。変速装置３１は、入力軸５２と出力軸３３とを備えた４速の有段式自動変速装置である。変速装置３１は、複数の変速ギア対を介して入力軸５２から出力軸３３へと動力が伝達される所謂ギアトレイン型の有段式変速装置である。
【００３４】
図２に示すように、クランク軸３４の左側端部は、クランク室３５から突出して、変速装置室５１に至っている。クランク軸３４は、変速装置３１の入力軸５２を兼ねている。
【００３５】
〜回転軸構成〜
変速装置３１は、第１の回転軸５３と、第２の回転軸５４と、第３の回転軸６４と、出力軸３３とを有する。第１の回転軸５３と、第２の回転軸５４と、第３の回転軸６４と、出力軸３３とのそれぞれは、入力軸５２と平行に配置されている。
【００３６】
図５において、符号Ｃ１，Ｃ２，Ｃ３，Ｃ４，Ｃ５は、それぞれ、入力軸５２の軸線、第１の回転軸５３の軸線、第２の回転軸５４の軸線、第３の回転軸６４の軸線、出力軸３３の軸線を表している。図５に示すように、入力軸５２と、第１の回転軸５３と、第２の回転軸５４と、第３の回転軸６４と、出力軸３３とは、側面視において、入力軸５２の軸方向と垂直な略水平方向に配列されている。より具体的には、入力軸５２の軸線Ｃ１と、第１の回転軸５３の軸線Ｃ２と、第２の回転軸５４の軸線Ｃ３と、第３の回転軸６４の軸線Ｃ４と、出力軸３３の軸線Ｃ５とは、側面視において、略水平な直線上に配列されている。このように各回転軸を配置することで、入力軸５２と出力軸３３との間の距離を比較的長くすることができる。尚、図５において、符号９４は、アイドルギアを表している。符号９５は、スタータ用のワンウェイギアを表している。
【００３７】
尚、本実施形態では、出力軸３３と第３の回転軸６４とがそれぞれ別個に設けられている例について説明する。但し、本発明はこの構成に限定されない。出力軸３３と第３の回転軸６４とは共通であってもよい。言い換えれば、第３の回転軸６４に対して後輪１８が取り付けられていてもよい。
【００３８】
〜上流側クラッチ群８１〜
入力軸５２には、上流側クラッチ群８１が設けられている。上流側クラッチ群８１は、第１のクラッチ５５と、第２のクラッチ５９とを備えている。第１のクラッチ５５は、第２のクラッチ５９よりも右側に配置されている。第１のクラッチ５５と、第２のクラッチ５９とは、それぞれ遠心クラッチにより構成されている。具体的に、本実施形態では、第１のクラッチ５５と、第２のクラッチ５９とは、それぞれドラム式の遠心クラッチにより構成されている。但し、本発明は、この構成に限定されない。第２のクラッチ５９は、遠心クラッチ以外のクラッチであってもよい。例えば、第２のクラッチ５９は、油圧式のクラッチであってもよい。
【００３９】
第１のクラッチ５５は、入力側クラッチ部材としてのインナ５６と、出力側クラッチ部材としてのアウタ５７とを備えている。インナ５６は、入力軸５２に対して回転不能に設けられている。このため、インナ５６は、入力軸５２の回転と共に回転する。一方、アウタ５７は、入力軸５２に対して回転可能である。入力軸５２の回転速度が所定の回転速度よりも大きくなると、インナ５６に働く遠心力により、インナ５６とアウタ５７とが接触する。これにより第１のクラッチ５５がつながる。一方、インナ５６とアウタ５７とがつながった状態で回転しているときに、その回転速度が所定の回転速度よりも小さくなると、インナ５６に働く遠心力が弱くなり、インナ５６とアウタ５７とが離れる。これにより第１のクラッチ５５が切断される。
【００４０】
第２のクラッチ５９は、出力側クラッチ部材としてのインナ６０と、入力側クラッチ部材としてのアウタ６１とを備えている。インナ６０は、後述する第１１のギア６２に対して回転不能に設けられている。入力軸５２が回転すると、その回転が第１の変速ギア対８６と、第１の回転軸５３と第４の変速ギア対８３とを介して、インナ６０に伝達される。このため、インナ６０は、入力軸５２の回転と共に回転する。アウタ６１は、入力軸５２に対して回転可能である。入力軸５２の回転速度が所定の回転速度よりも大きくなると、インナ６０に働く遠心力により、インナ６０とアウタ６１とが接触する。これにより第２のクラッチ５９がつながる。一方、インナ６０とアウタ６１とがつながった状態で回転しているときに、その回転速度が所定の回転速度よりも小さくなると、インナ６０に働く遠心力が弱くなり、インナ６０とアウタ６１とが離れる。これにより第２のクラッチ５９が切断される。
【００４１】
尚、本実施形態では、アウタ５７とアウタ６１とが同一の部材で構成されている。但し、本発明はこの構成に限定されない。アウタ５７とアウタ６１とを別の部材によって構成してもよい。
【００４２】
第１のクラッチ５５が接続されるときの入力軸５２の回転速度と、第２のクラッチ５９が接続されるときの入力軸５２の回転速度とは相互に異なる。言い換えれば、第１のクラッチ５５が接続されるときのインナ５６の回転速度と、第２のクラッチ５９が接続されるときのインナ６０の回転速度とは相互に異なる。具体的には、第１のクラッチ５５が接続されるときの入力軸５２の回転速度の方が、第２のクラッチ５９が接続されるときの入力軸５２の回転速度よりも低い。より具体的に説明すると、第１のクラッチ５５は、入力軸５２の回転速度が第１の回転速度以上のときにつながる。一方、第１のクラッチ５５は、入力軸５２の回転速度が第１の回転速未満であるときに切断された状態となる。第２のクラッチ５９は、入力軸５２の回転速度が上記第１の回転速度よりも高い第２の回転速度以上のときにつながる。一方、第２のクラッチ５９は、入力軸５２の回転速度が第２の回転速度未満であるときに切断された状態となる。
【００４３】
第１のクラッチ５５のアウタ５７には、第１のギア５８が、アウタ５７に対して回転不能に設けられている。第１のギア５８は、第１のクラッチ５５のアウタ５７と共に回転する。一方、第１の回転軸５３には、第２のギア６３が設けられている。第２のギア６３は第１のギア５８と噛合している。第１のギア５８と第２のギア６３とは第１の変速ギア対８６とを構成している。本実施形態では、第１の変速ギア対８６は、第１速の変速ギア対を構成している。
【００４４】
第２のギア６３は、所謂一方向ギアである。具体的には、第２のギア６３は、第１のギア５８の回転を第１の回転軸５３に伝達する。一方、第２のギア６３は、第１の回転軸５３の回転を入力軸５２には伝達しない。つまり、第２のギア６３は、一方向回転伝達機構９６を兼ね備えている。
【００４５】
第２のクラッチ５９の出力側クラッチ部材としてのインナ６０には、第１１のギア６２が設けられている。第１１のギア６２はインナ６０と共に回転する。一方、第１の回転軸５３には、第１２のギア６５が設けられている。第１２のギア６５は第１１のギア６２と噛合している。第１２のギア６５と第１１のギア６２とは第４の変速ギア対８３とを構成している。第４の変速ギア対８３は、第１の変速ギア対８６とは異なるギア比を有する。具体的に、第４の変速ギア対８３は、第１の変速ギア対８６のギア比よりも小さなギア比を有している。第４の変速ギア対８３は第２速の変速ギア対を構成している。
【００４６】
第１の変速ギア対８６と第４の変速ギア対８３との間には、上記第１のクラッチ５５と第２のクラッチ５９が位置している。言い換えれば、上記第１のクラッチ５５と第２のクラッチ５９とは、第１の変速ギア対８６と第４の変速ギア対８３との間に配置されている。
【００４７】
本実施形態では、第１２のギア６５は、第９のギア８７としての機能も兼ね備えている。言い換えれば、第１２のギア６５と第９のギア８７とは共通である。第２の回転軸５４には、第１０のギア７５が、第２の回転軸５４に対して回転不能に設けられている。第１０のギア７５は第２の回転軸５４と共に回転する。第１２のギア６５としての機能も兼ね備える第９のギア８７は、第１０のギア７５と噛合している。第１２のギア６５としての機能も兼ね備える第９のギア８７と、第１０のギア７５とは、第１の伝達ギア対８４を構成している。
【００４８】
第２の回転軸５４には、第７のギア７４が、第２の回転軸５４に対して回転不能に設けられている。第７のギア７４は第２の回転軸５４と共に回転する。一方、第３の回転軸６４には、第８のギア７８が第３の回転軸６４に対して回転不能に設けられている。第３の回転軸６４は、第８のギア７８と共に回転する。第７のギア７４と第８のギア７８とは相互に噛合している。第７のギア７４と第８のギア７８とは、第２の伝達ギア対８５を構成している。
【００４９】
第８のギア７８は、所謂一方向ギアである。具体的には、第８のギア７８は、第２の回転軸５４の回転を第３の回転軸６４に伝達する。一方、第８のギア７８は、第３の回転軸６４の回転を第２の回転軸５４には伝達しない。つまり、第８のギア７８は、一方向回転伝達機構９３を兼ね備えている。
【００５０】
但し、本発明において、第８のギア７８が所謂一方向ギアであることは必須ではない。例えば、第８のギア７８を通常のギアとし、第７のギア７４を所謂一方ギアとしてもよい。言い換えれば、第７のギア７４に一方向回転伝達機構を兼ね備えさせてもよい。具体的には、第７のギア７４を第２の回転軸５４の回転を第８のギア７８に伝達する一方、第８のギア７８の回転を第２の回転軸５４に伝達しないようにしてもよい。
【００５１】
〜下流側クラッチ群８２〜
第２の回転軸５４には、下流側クラッチ群８２が設けられている。下流側クラッチ群８２は上流側クラッチ群８１の後方に位置している。図２に示すように、下流側クラッチ群８２と上流側クラッチ群８１とは、入力軸５２の軸方向に関して、少なくとも一部が重なる位置に配置されている。言い換えれば、下流側クラッチ群８２と上流側クラッチ群８１とは、車幅方向に関して、少なくとも一部が重なる位置に配置されている。具体的には、下流側クラッチ群８２と上流側クラッチ群８１とは、車幅方向に関して、実質的に重なる位置に配置されている。
【００５２】
下流側クラッチ群８２は、第３のクラッチ７０と第４のクラッチ６６とを備えている。第４のクラッチ６６は、第３のクラッチ７０よりも右側に配置されている。このため、第１のクラッチ５５が第２のクラッチ５９に対して位置する方向と、第４のクラッチ６６が第３のクラッチ７０に対して位置する方向とは等しくなっている。そして、図２に示すように、第１のクラッチ５５と第４のクラッチ６６とは、車幅方向に関して少なくとも一部が重なるように配置されている。言い換えれば、第１のクラッチ５５と第４のクラッチ６６とは、入力軸５２の軸方向に関して少なくとも一部が重なるように配置されている。一方、第２のクラッチ５９と第３のクラッチ７０とも、車幅方向に関して少なくとも一部が重なるように配置されている。言い換えれば、第２のクラッチ５９と第３のクラッチ７０とは、入力軸５２の軸方向に関して少なくとも一部が重なるように配置されている。具体的には、第１のクラッチ５５と第４のクラッチ６６とは、車幅方向に関して実質的に重なるように配置されている。一方、第２のクラッチ５９と第３のクラッチ７０とも、車幅方向に関して実質的に重なるように配置されている。
【００５３】
本実施形態において、第３のクラッチ７０と第４のクラッチ６６とは、それぞれ所謂油圧式クラッチにより構成されている。具体的には、本実施形態では、第３のクラッチ７０と第４のクラッチ６６とは、それぞれディスク式の油圧式クラッチにより構成されている。但し、本発明は、この構成に限定されない。第４のクラッチ６６と第３のクラッチ７０とは、油圧式のクラッチ以外のクラッチであってもよい。例えば、第４のクラッチ６６と第３のクラッチ７０とは、遠心クラッチであってもよい。但し、第４のクラッチ６６と第３のクラッチ７０とは、油圧式のクラッチであることが好ましい。
【００５４】
このように、本発明では、第１のクラッチ５５が遠心クラッチであり、第２のクラッチ５９、第３のクラッチ７０及び第４のクラッチ６６のうちの少なくともひとつが油圧式クラッチであればよい。その限りにおいて、第２のクラッチ５９、第３のクラッチ７０及び第４のクラッチ６６は、ドラム式又はディスク式の遠心クラッチであってもよいし、ドラム式又はディスク式の油圧式クラッチであってもよい。但し、第２のクラッチ５９、第３のクラッチ７０及び第４のクラッチ６６のうちの２つ以上が油圧式クラッチであることが好ましい。特に、第２のクラッチ５９が遠心クラッチであって、第３のクラッチ７０及び第４のクラッチ６６が油圧式クラッチであることが好ましい。そして、油圧式クラッチである第３のクラッチ７０及び第４のクラッチ６６を同一の回転軸上に配置し、遠心クラッチである第１のクラッチ５５と第２のクラッチ５９とを別の回転軸上に配置することが好ましい。
【００５５】
尚、本明細書において、「遠心クラッチ」とは、入力側クラッチ部材と出力側クラッチ部材とを有し、入力側クラッチ部材の回転速度が所定の回転速度以上であるとき、入力側クラッチ部材と出力側クラッチ部材とが係合してつながる一方、入力側クラッチ部材の回転速度が所定の回転速度未満であるとき、入力側クラッチ部材と出力側クラッチ部材とが離れて切断されるクラッチをいう。
【００５６】
第３のクラッチ７０が接続されるときの第２の回転軸５４の回転速度と、第４のクラッチ６６が接続されるときの第２の回転軸５４の回転速度とは相互に異なる。言い換えれば、第３のクラッチ７０が接続されるときのインナ７１の回転速度と、第４のクラッチ６６が接続されるときのインナ６７の回転速度とは相互に異なる。具体的には、第３のクラッチ７０が接続されるときの第２の回転軸５４の回転速度の方が、第４のクラッチ６６が接続されるときの第２の回転軸５４の回転速度よりも低い。
【００５７】
第３のクラッチ７０は、入力側クラッチ部材としてのインナ７１と、出力側クラッチ部材としてのアウタ７２とを備えている。インナ７１は、第２の回転軸５４に対して回転不能に設けられている。このため、インナ７１は、第２の回転軸５４の回転と共に回転する。一方、アウタ７２は、第２の回転軸５４に対して回転可能である。第３のクラッチ７０がつながっていない状態では、第２の回転軸５４が回転すると、インナ７１は第２の回転軸５４と共に回転する一方、アウタ７２は第２の回転軸５４と共には回転しない。第３のクラッチ７０がつながっている状態では、インナ７１とアウタ７２との両方が第２の回転軸５４と共に回転する。
【００５８】
第３のクラッチ７０の出力側クラッチ部材としてのアウタ７２には、第５のギア７３が取り付けられている。第５のギア７３は、アウタ７２と共に回転する。一方、第３の回転軸６４には、第６のギア７７が第３の回転軸６４に対して回転不能に設けられている。第６のギア７７は、第３の回転軸６４と共に回転する。第５のギア７３と第６のギア７７とは、相互に噛合している。よって、アウタ７２の回転は、第５のギア７３と第６のギア７７とを介して第３の回転軸６４に伝達される。
【００５９】
第５のギア７３と第６のギア７７とは、第３の変速ギア対９１を構成している。第３の変速ギア対９１は、第１の変速ギア対８６のギア比と、第４の変速ギア対８３のギア比と、第２の変速ギア対９０のギア比は異なるギア比を有する。
【００６０】
第３の変速ギア対９１は、第３のクラッチ７０に対して、第２のクラッチ５９に対して第４の変速ギア対８３が位置する側と同じ側に位置している。具体的には、第３の変速ギア対９１は、第３のクラッチ７０に対して左側に位置している。第４の変速ギア対８３も同様に、第２のクラッチ５９に対して左側に位置している。
【００６１】
また、第３の変速ギア対９１と第４の変速ギア対８３とは、車幅方向に関して、少なくとも一部同士が重なるように配置されている。言い換えれば、第３の変速ギア対９１と第４の変速ギア対８３とは、入力軸５２の軸方向に関して、少なくとも一部同士が重なるように配置されている。具体的には、第３の変速ギア対９１と第４の変速ギア対８３とは、車幅方向に関して、実質的に重なるように配置されている。
【００６２】
第４のクラッチ６６は、入力側クラッチ部材としてのインナ６７と、出力側クラッチ部材としてのアウタ６８とを備えている。インナ６７は、第２の回転軸５４に対して回転不能に設けられている。このため、インナ６７は、第２の回転軸５４の回転と共に回転する。一方、アウタ６８は、第２の回転軸５４に対して回転可能である。第４のクラッチ６６がつながっていない状態では、第２の回転軸５４が回転すると、インナ６７は第２の回転軸５４と共に回転する一方、アウタ６８は第２の回転軸５４と共には回転しない。第４のクラッチ６６がつながっている状態では、インナ６７とアウタ６８との両方が第２の回転軸５４と共に回転する。
【００６３】
第４のクラッチ６６の出力側クラッチ部材としてのアウタ６８には、第３のギア６９が取り付けられている。第３のギア６９は、アウタ６８と共に回転する。一方、第３の回転軸６４には、第４のギア７６が第３の回転軸６４に対して回転不能に設けられている。第４のギア７６は、第３の回転軸６４と共に回転する。第３のギア６９と第４のギア７６とは、相互に噛合している。よって、アウタ６８の回転は、第３のギア６９と第４のギア７６とを介して第３の回転軸６４に伝達される。
【００６４】
第４のギア７６と第３のギア６９とは第２の変速ギア対９０を構成している。第２の変速ギア対９０は、第１の変速ギア対８６のギア比及び第４の変速ギア対８３のギア比とは異なるギア比を有する。
【００６５】
第３の変速ギア対９１と第２の変速ギア対９０との間には、上記第３のクラッチ７０と第４のクラッチ６６とが位置している。言い換えれば、上記第３のクラッチ７０と第４のクラッチ６６とは、第３の変速ギア対９１と第２の変速ギア対９０との間に配置されている。
【００６６】
第２の変速ギア対９０は、第４のクラッチ６６に対して、第１のクラッチ５５に対して第１の変速ギア対８６が位置する側と同じ側に位置している。具体的には、第２の変速ギア対９０は、第４のクラッチ６６に対して右側に位置している。第１の変速ギア対８６も同様に、第１のクラッチ５５に対して右側に位置している。
【００６７】
また、第２の変速ギア対９０と第１の変速ギア対８６とは、車幅方向に関して、少なくとも一部同士が重なるように配置されている。言い換えれば、第２の変速ギア対９０と第１の変速ギア対８６とは、入力軸５２の軸方向に関して、少なくとも一部同士が重なるように配置されている。具体的には、第２の変速ギア対９０と第１の変速ギア対８６とは、車幅方向に関して、実質的に重なるように配置されている。
【００６８】
第３の回転軸６４には、第１３のギア７９が第３の回転軸６４に対して回転不能に設けられている。第１３のギア７９は、車幅方向に関して、第４のギア７６と、第６のギア７７よりも左側に配置されている。第１３のギア７９は第３の回転軸６４と共に回転する。一方、出力軸３３には、第１４のギア８０が出力軸３３に対して回転不能に設けられている。言い換えれば、第１４のギア８０は、出力軸３３と共に回転する。この第１４のギア８０と第１３のギア７９とによって、第３の伝達ギア対９８が構成されている。この第３の伝達ギア対９８によって、第３の回転軸６４の回転が出力軸３３に伝達される。
【００６９】
〜下流側クラッチ群８２の詳細構造〜
次に、主として図６〜図８を参照しながら、下流側クラッチ群８２についてさらに詳細に説明する。
【００７０】
第３のクラッチ７０には、プレート群１３６が設けられている。プレート群１３６は、複数のフリクションプレート１３４と複数のクラッチプレート１３５とを備えている。複数のフリクションプレート１３４と複数のクラッチプレート１３５とは、互い違いとなるように車幅方向に積層されている。フリクションプレート１３４は、アウタ７２に対して回転不能である。一方、クラッチプレート１３５は、インナ７１に対して回転不能である。
【００７１】
インナ７１は、アウタ７２に対して回転可能である。インナ７１のアウタ７２とは車幅方向の反対側には、プレッシャープレート１６３が配置されている。プレッシャープレート１６３は、圧縮コイルスプリング９２によって車幅方向右側に付勢されている。すなわち、プレッシャープレート１６３は、圧縮コイルスプリング９２によってボス部１６２側に付勢されている。
【００７２】
ボス部１６２とプレッシャープレート１６３との間には、作動室１３７が区画形成されている。作動室１３７には、オイルが満たされている。この作動室１３７内の油圧が高くなると、プレッシャープレート１６３は、ボス部１６２から離れる方向に変位する。これにより、プレッシャープレート１６３とインナ７１との間の距離が短くなる。従って、プレート群１３６が相互に圧接された状態となる。その結果、インナ７１とアウタ７２とが共に回転し、第３のクラッチ７０が接続状態となる。
【００７３】
一方、作動室１３７内の圧力が低くなると、プレッシャープレート１６３は、圧縮コイルスプリング９２によってボス部１６２側に変位する。これにより、プレート群１３６の圧接状態が解除される。その結果、インナ７１とアウタ７２とが共に相対的に回転可能となり、第３のクラッチ７０が切断される。
【００７４】
尚、図示は省略するが、第３のクラッチ７０には、作動室１３７に連通する微少なリーク孔が形成されている。また、インナ７１とアウタ７２との間は、シールされていない。これにより、クラッチ７０の切断時に、作動室１３７内のオイルを迅速に排出することができる。そのため、本実施形態によれば、クラッチ７０の応答性を向上させることができる。また、本実施形態によれば、上記リーク孔またはインナ７１とアウタ７２との間の隙間から飛散したオイルによって、他の摺動箇所を円滑に潤滑することができる。
【００７５】
第４のクラッチ６６には、プレート群１３２が設けられている。プレート群１３２は、複数のフリクションプレート１３０と複数のクラッチプレート１３１とを備えている。複数のフリクションプレート１３０と複数のクラッチプレート１３１とは、互い違いとなるように車幅方向に積層されている。フリクションプレート１３０は、アウタ６８に対して回転不能である。一方、クラッチプレート１３１は、インナ６７に対して回転不能である。
【００７６】
インナ６７は、アウタ６８に対して回転可能かつ車幅方向に変位可能である。インナ６７のアウタ６８とは車幅方向の反対側には、プレッシャープレート１６１が配置されている。プレッシャープレート１６１は、圧縮コイルスプリング８９によって車幅方向左側に付勢されている。すなわち、プレッシャープレート１６１は、圧縮コイルスプリング８９によってボス部１６２側に付勢されている。
【００７７】
ボス部１６２とプレッシャープレート１６１との間には、作動室１３３が区画形成されている。作動室１３３には、オイルが満たされている。この作動室１３３内の油圧が高くなると、プレッシャープレート１６１は、ボス部１６２から離れる方向に変位する。これにより、プレッシャープレート１６１とインナ６７との間の距離が短くなる。従って、によってプレート群１３２が相互に圧接された状態となる。その結果、インナ６７とアウタ６８とが共に回転し、第４のクラッチ６６が接続状態となる。
【００７８】
一方、作動室１３３内の圧力が低くなると、プレッシャープレート１６１は、圧縮コイルスプリング８９によってボス部１６２側に変位する。これにより、プレート群１３２の圧接状態が解除される。その結果、インナ６７とアウタ６８とが共に相対的に回転可能となり、第４のクラッチ６６が切断される。
【００７９】
尚、図示は省略するが、第４のクラッチ６６には、作動室１３３に連通する微少なリーク孔が形成されている。また、インナ６７とアウタ６８との間は、シールされていない。これにより、クラッチ６６の切断時に、作動室１３３内のオイルを迅速に排出することができる。そのため、本実施形態によれば、クラッチ６６の応答性を向上させることができる。また、本実施形態によれば、上記リーク孔またはインナ６７とアウタ６８との間の隙間から飛散したオイルによって、他の摺動箇所を円滑に潤滑することができる。
【００８０】
〜オイル経路１３９〜
図７に示すように、第４のクラッチ６６の作動室１３３内の圧力と第３のクラッチ７０の作動室１３７内の圧力とは、オイルポンプ１４０によって付与されると共に調整される。図７に示すように、クランク室３５の底部には、オイル溜まり９９が形成されている。このオイル溜まり９９には、図８にも示すストレーナ１４１が漬けられている。ストレーナ１４１は、オイルポンプ１４０に接続されている。オイルポンプ１４０が駆動されることで、このストレーナ１４１を介してオイル溜まり９９に溜められたオイルが吸い上げられる。
【００８１】
第１のオイル経路１４４の途中には、リリーフバルブ１４７が設けられている。吸い上げられたオイルは、オイルクリーナ１４２において浄化され、リリーフバルブ１４７により所定の圧力に調圧される。その後、浄化されたオイルの一部は、クランク軸３４や、シリンダヘッド４０内の摺動部に対して供給される。また、浄化されたオイルの一部は、第４のクラッチ６６の作動室１３３と第３のクラッチ７０の作動室１３７とにも供給される。具体的には、オイルクリーナ１４２から延びる第１のオイル経路１４４には、第２のオイル経路１４５と第３のオイル経路１４６とが接続されている。第２のオイル経路１４５は、バルブ１４３からクランクケース３２側を経て、第２の回転軸５４の右端部から、第２の回転軸５４内に延びている。そして、第２のオイル経路１４５は作動室１３３に至っている。よって、第２のオイル経路１４５を経由して作動室１３３にオイルが供給され、作動室１３３内の圧力が調節される。一方、第３のオイル経路１４６は、バルブ１４３から変速装置カバー５０側を経て、第２の回転軸５４の左端部から、第２の回転軸５４内に延びている。そして、第３のオイル経路１４６は作動室１３７に至っている。よって、第３のオイル経路１４６を経由して作動室１３７にオイルが供給される。
【００８２】
第１のオイル経路１４４と、第２のオイル経路１４５及び第３のオイル経路１４６との接続部には、バルブ１４３が設けられている。このバルブ１４３によって、第１のオイル経路１４４と第３のオイル経路１４６との間の開閉、及び第１のオイル経路１４４と第２のオイル経路１４５との間の開閉が行われる。
【００８３】
バルブ１４３には、図６に示すように、バルブ１４３を駆動するモータ１５０が取り付けられている。このモータ１５０によってバルブ１４３が駆動されることで、第３のクラッチ７０と第４のクラッチ６６の断続が行われる。つまり、本実施形態では、オイルポンプ１４０と、バルブ１４３と、モータ１５０とによって、油圧式クラッチである第３のクラッチ７０と第４のクラッチ６６とに対して油圧を付加するアクチュエータ１０３が構成されている。そして、そのアクチュエータ１０３が、図６に示すＥＣＵ１３８によって制御されることで、第３のクラッチ７０と第４のクラッチ６６とがＯＮ／ＯＦＦされる。具体的には、アクチュエータ１０３が作動室１３３と作動室１３７とに対して適宜に油圧を加え、これにより、第３のクラッチ７０と第４のクラッチ６６の断続が行われる。
【００８４】
より具体的に説明すると、図６に示すように、ＥＣＵ１３８には、スロットル開度センサ１１２と車速センサ８８とが接続されている。制御部としてのＥＣＵ１３８は、このスロットル開度センサ１１２によって検出されるスロットル開度と、車速センサ８８により検出される車速とのうちの少なくとも一方に基づいてアクチュエータ１０３を制御することで、第３のクラッチ７０と第４のクラッチ６６とがつながるタイミングを制御している。本実施形態では、制御部としてのＥＣＵ１３８は、このスロットル開度センサ１１２によって検出されるスロットル開度と、車速センサ８８により検出される車速との両方に基づいてアクチュエータ１０３を制御している。具体的には、ＥＣＵ１３８は、スロットル開度センサ１１２から出力されるスロットル開度と、車速センサ８８から出力される車速とを、メモリ１１３から読み出したＶ−Ｎ線図に適用して得られた情報に基づいてアクチュエータ１０３を制御している。
【００８５】
具体的に、バルブ１４３は、略円柱状に形成されている。バルブ１４３には、第１のオイル経路１４４と第２のオイル経路１４５とを開通するための内部経路１４８と、第１のオイル経路１４４と第３のオイル経路１４６とを開通するための内部経路１４９とが形成されている。モータ１５０によってバルブ１４３が回転することで、上記内部経路１４８、１４９によって、第１のオイル経路１４４と第２のオイル経路１４５とが開通する一方、第１のオイル経路１４４と第３のオイル経路１４６とが切断されるポジション、第１のオイル経路１４４と第３のオイル経路１４６とが開通する一方、第１のオイル経路１４４と第２のオイル経路１４５とが切断されるポジション、及び第１のオイル経路１４４と第３のオイル経路１４６とが切断されると共に、第１のオイル経路１４４と第２のオイル経路１４５とも切断されるポジションのうちのいずれかが選択されるようになっている。これにより、第４のクラッチ６６及び第３のクラッチ７０の両方が切断された状態、第４のクラッチ６６が接続されている一方、第３のクラッチ７０は切断されている状態、又は第４のクラッチ６６が切断されている一方、第３のクラッチ７０が接続されている状態のいずれかが選択される。
【００８６】
−変速装置３１の動作−
次に変速装置３１の動作について、図９〜図１２を参照しながら詳細に説明する。
【００８７】
〜発進時、１速〜
まず、エンジン３０が始動すると、クランク軸３４（＝入力軸５２）の回転が開始する。第１のクラッチ５５のインナ５６は入力軸５２と共に回転する。このため、入力軸５２の回転速度が所定の回転速度（＝第１の回転速度）以上になり、インナ５６に所定以上の大きさの遠心力がかかりだすと、図９に示すように、第１のクラッチ５５がつながる。第１のクラッチ５５がつながると、第１のクラッチ５５のアウタ５７と共に、第１の変速ギア対８６が回転する。これにより、入力軸５２の回転が第１の回転軸５３に伝達される。
【００８８】
第９のギア８７は、第１の回転軸５３と共に回転する。このため、第１の回転軸５３の回転に伴って、第１の伝達ギア対８４も回転する。よって、第１の伝達ギア対８４を介して、第１の回転軸５３の回転が第２の回転軸５４に伝達される。
【００８９】
第７のギア７４は、第２の回転軸５４と共に回転する。このため、第２の回転軸５４の回転に伴って、第２の伝達ギア対８５も回転する。よって、第２の伝達ギア対８５を介して、第２の回転軸５４の回転が第３の回転軸６４に伝達される。
【００９０】
第１３のギア７９は、第３の回転軸６４と共に回転する。このため、第３の回転軸６４の回転に伴って、第３の伝達ギア対９８も回転する。よって、第３の伝達ギア対９８を介して、第３の回転軸６４の回転が出力軸３３に伝達される。
【００９１】
このように、スクータ型車両１の発進時、すなわち１速時は、図９に示すように、第１のクラッチ５５、第１の変速ギア対８６、第１の伝達ギア対８４、第２の伝達ギア対８５及び第３の伝達ギア対９８を介して、入力軸５２から出力軸３３へと回転が伝達される。
【００９２】
〜２速〜
上記１速時において、第９のギア８７と共通の第１２のギア６５は、第１の回転軸５３と共に回転している。このため、第１２のギア６５と噛合する第１１のギア６２と、第２のクラッチ５９のインナ６０とも共に回転している。よって、入力軸５２の回転速度が上昇すると、第２のクラッチ５９のインナ６０の回転速度も上昇する。入力軸５２の回転速度が上記第１の回転速度よりも速い第２の回転速度以上になると、インナ６０の回転速度もその分上昇し、図１０に示すように、第２のクラッチ５９がつながる。
【００９３】
ここで、本実施形態では、第４の変速ギア対８３のギア比の方が、第１の変速ギア対８６のギア比よりも小さい。よって、第１２のギア６５の回転速度の方が、第２のギア６３の回転速度よりも速くなる。このため、第４の変速ギア対８３を介して、入力軸５２から第１の回転軸５３に回転が伝達される。一方、第１の回転軸５３の回転は、一方向回転伝達機構９６により入力軸５２には伝達されない。
【００９４】
第１の回転軸５３から出力軸３３への回転力の伝達は、上記１速時と同様に、第１の伝達ギア対８４、第２の伝達ギア対８５及び第３の伝達ギア対９８を介して行われる。
【００９５】
このように、２速時は、図１０に示すように、第２のクラッチ５９、第４の変速ギア対８３、第１の伝達ギア対８４、第２の伝達ギア対８５及び第３の伝達ギア対９８を介して、入力軸５２から出力軸３３へと回転が伝達される。
【００９６】
〜３速〜
上記２速時において、クランク軸３４（＝入力軸５２）の回転速度が第２の回転速度よりも高くなり、且つ、車速が所定の車速以上になると、図１１に示すように、バルブ１４３が駆動され、第３のクラッチ７０がつながる。このため、第３の変速ギア対９１の回転が開始する。ここで、第３の変速ギア対９１のギア比は、第２の伝達ギア対８５のギア比よりも小さい。このため、第３の変速ギア対９１の第６のギア７７の回転速度が、第４の伝達ギア対８５の第８のギア７８の回転速度よりも高くなる。このため、第２の回転軸５４の回転は、第３の変速ギア対９１を介して第３の回転軸６４に伝達される。一方、第３の回転軸６４の回転は、一方向回転伝達機構９３により第２の回転軸５４には伝達されない。
【００９７】
第３の回転軸６４の回転は、上記１速時、２速時と同様に、第３の伝達ギア対９８を介して出力軸３３へと伝達される。
【００９８】
このように、３速時は、図１１に示すように、第２のクラッチ５９、第４の変速ギア対８３、第１の伝達ギア対８４、第３のクラッチ７０、第３の変速ギア対９１及び第３の伝達ギア対９８を介して、入力軸５２から出力軸３３へと回転が伝達される。
【００９９】
〜４速〜
上記３速時において、クランク軸３４（＝入力軸５２）の回転速度がさらに高くなり、且つ、車速もさらに高くなると、図１２に示すように、バルブ１４３が駆動され、第４のクラッチ６６がつながる。その一方で、第３のクラッチ７０は切断される。このため、第２の変速ギア対９０の回転が開始する。ここで、第２の変速ギア対９０のギア比も、第２の伝達ギア対８５のギア比よりも小さい。このため、第２の変速ギア対９０の第４のギア７６の回転速度が、第２の伝達ギア対８５の第８のギア７８の回転速度よりも高くなる。このため、第２の回転軸５４の回転は、第２の変速ギア対９０を介して第３の回転軸６４に伝達される。一方、第３の回転軸６４の回転は、一方向回転伝達機構９３により第２の回転軸５４には伝達されない。
【０１００】
第３の回転軸６４の回転は、上記１速時〜３速時と同様に、第３の伝達ギア対９８を介して出力軸３３へと伝達される。
【０１０１】
このように、４速時は、図１２に示すように、第２のクラッチ５９、第４の変速ギア対８３、第１の伝達ギア対８４、第４のクラッチ６６、第２の変速ギア対９０及び第３の伝達ギア対９８を介して、入力軸５２から出力軸３３へと回転が伝達される。
【０１０２】
本実施形態では、図１３に示すように、クランク軸３４は、一対のクランクウェブ３４ａ、３４ｂを備えている。コンロッド３６は、クランクピン３４ｃによって、この一対のクランクウェブ３４ａ、３４ｂに接続されている。
【０１０３】
図１及び図１３に示すように、クランク軸３４の後方かつ変速装置３１の車幅方向内側には、後輪１８が配置されている。図１３に示すように、後輪１８は、クランクウェブ３４ａ、３４ｂ及びクランクピン３４ｃの後方に配置されている。後輪１８の左側端は、クランクピン３４ｃの左側端よりも車幅方向外側に位置している。すなわち、後輪１８の少なくとも一部は、クランクピン３４ｃよりも車幅方向外側に位置している。
【０１０４】
上述のように、エンジンユニット２０は、クランクケース３２と、変速装置カバー５０と、発電機カバー４３とを備えている。これらクランクケース３２と、変速装置カバー５０と、発電機カバー４３とは、エンジン３０及び変速装置３１を収納するケーシング１１を構成している。変速装置カバー５０とクランクケース３２の一部とは、変速装置収納部１１ａを構成している。この変速装置収納部１１ａによって上記変速装置室５１が形成されている。
【０１０５】
変速装置収納部１１ａのうち、変速装置３１の車幅方向外側に位置する変速装置カバー５０は、変速装置収納部１１ａの外側壁１１ｃを構成している。
【０１０６】
クランクケース３２のうち、変速装置３１の車幅方向内側であって、後輪１８の車幅方向外側に位置する部分は、変速装置収納部１１ａの内側壁１１ｄを構成している。第１，第２及び第３の回転軸５３，５４，６４は、車幅方向において、この内側壁１１ｄと外側壁１１ｃとの間に位置している。また、第２の変速用ギアとしての第２のギア６３の少なくとも一部は、内側壁１１ｄの車幅方向外側に位置している。具体的に本実施形態では、第２のギア６３の全体が内側壁１１ｄの車幅方向外側に位置している。一方、クランク軸３４は、内側壁１１ｄよりも前側に位置している。
【０１０７】
図１４に示すように、外側壁１１ｃには、上述のキック軸１０２が回転可能に支持されている。図３及び図１４に示すように、キック軸１０２とクランク軸３４との間には、中間軸としての軸１０５及びバランサ軸１１５が設けられている。キック軸１０２に設けられた第１のキック用ギアとしてのギア１０４は、第１のギア対としての第１の変速ギア対８６及び第２のギア対としての第４の変速ギア対８３よりも車幅方向外側に配置されている。ギア１０４は、軸１０５に設けられた第２のキック用ギアとしてのギア１０６と噛合している。図１４に示すように、このギア１０６とギア１０４とは、キック用伝達ギア対４７を構成している。
【０１０８】
中間軸としての軸１０５には、第３のキック用ギアとしてのギア１１１が設けられている。ギア１１１は、第１のギア５８よりも車幅方向内側に位置している。ギア１１１は、クランク軸３４に設けられた第６のキック用ギアとしてのギア１１７に間接的に噛合している。ギア１１７は、第１の変速用ギアとしての第１のギア５８よりも車幅方向内側に位置している。すなわち、第３のキック用ギアとしてのギア１１１は、クランク軸３４の第１のギア５８よりも車幅方向内側の部分に間接的に噛合している。
【０１０９】
より具体的には、軸１０５とクランク軸３４との間には、別の中間軸としてバランサ軸１１５が設けられている。バランサ軸１１５には、第４のキック用ギアとしてのギア１１６が設けられている。ギア１１６は、バランサ軸１１５と共に回転する。第４のキック用ギアとしてのギア１１６は、第３のキック用ギアとしてのギア１１１と噛合している。また、別の中間軸としてバランサ軸１１５には、第５のキック用ギアとしてのギア１２９が設けられている。ギア１２９は、バランサ軸１１５と共に回転する。ギア１２９は、クランク軸３４と共に回転する第６のキック用ギアとしてのギア１１７に噛合している。
【０１１０】
なお、本実施形態では、キック軸１０２とクランク軸３４との間に設けられた中間軸のひとつとしてバランサ軸１１５を使用する例について説明する。但し、キック軸１０２とクランク軸３４との間に設けられた中間軸は、バランサ軸１１５と別個に設けられていてもよい。
【０１１１】
図３及び図１４に示すように、セルモータ用ギアとしてのギア１２０は、クランク軸３４の第１の変速用ギアとしての第１のギア５８よりも車幅方向内側の部分に噛合している。具体的には、図１４に示すように、セルモータ用ギアとしてのギア１２０は、軸１５１に設けられたギア１２１と噛合している。ギア１２１は、クランクケース３２に回転不能に固定された軸１５１に対して回転可能に固定されている。ギア１２１は、ギア１２３と噛合している。ギア１２３は、クランク軸３４の第１のギア５８の車幅方向内側の部分に設けられている。
【０１１２】
なお、図１３に示すように、第１の回転軸５３の回転を出力軸３３に伝達する動力伝達機構２９は、第１〜第３の伝達ギア対８４，８５，９８と、下流側クラッチ群８２と、第２及び第３の変速ギア対９０，９１とにより構成されている。
【０１１３】
また、以下に示す対応関係となっている。
第１の変速用ギア：第１のギア５８
第２の変速用ギア：第２のギア６３
第３の変速用ギア：第１１のギア６２
第４の変速用ギア：第１２のギア６５
第１のギア対：第１の変速ギア対８６
第２のギア対：第４の変速ギア対８３
第１のキック用ギア：ギア１０４
第２のキック用ギア：ギア１０６
第３のキック用ギア：ギア１１１
第４のキック用ギア：ギア１１６
第５のキック用ギア：ギア１２９
第６のキック用ギア：ギア１１７
セルモータ用ギア：ギア１２０
【０１１４】
以上説明したように、本実施形態では、複雑な構成を有するプラネタリーギアが使用されていない。従って、変速装置３１、ひいてはエンジンユニット２０の構成のシンプル化が図られている。
【０１１５】
また、クランク軸３４上に比較的大きなプラネタリーギアが配置されていないため、クランク軸３４の軸線方向において、エンジンユニット２０のコンパクト化が図られている。
【０１１６】
ところで、エンジンユニットでは、軽量化が一般的な課題となっている。そこで、エンジンユニットを軽量化するため、キック軸や、キック軸とクランク軸との間に配置される中間軸は、極力短くされる傾向にある。具体的には、例えば、第１及び第２の変速ギア対よりも車幅方向外側にキック軸とクランク軸との動力伝達を行い、キック軸及び中間軸の軸心方向の長さを短くするのが一般的である。
【０１１７】
しかしながら、本実施形態のように、入力軸５２上に配置された第１のギア５８と第１１のギア６２とは、クランク軸３４に対して回転可能である。このため、第１及び第２の変速ギア対よりも車幅方向外側にキック軸とクランク軸との動力伝達を行う場合、第１１のギアよりも車幅方向外側にキックスタータ用のギアを別途設ける必要が生じる。従って、別途のギアが必要となる分、エンジンユニットの車幅方向の大きさが大型化する傾向にある。
【０１１８】
なお、第１のクラッチ５５のインナ５６は、クランク軸３４と共に回転する。しかしながら、インナ５６は、車幅方向において、第１の変速用ギアとしての第１のギア５８と、第３の変速用ギアとしての第１１のギア６２との間に位置している。このため、第１のクラッチのインナに対してキックスタータ用のギアを設けた場合、第１のギアと第１１のギアとの間の距離を長くする必要がある。従って、この場合も同様に、エンジンユニットの車幅方向の大きさが大型化する傾向にある。
【０１１９】
ここで、本実施形態のように、後輪１８が変速装置３１の車幅方向内側に位置する車両では、後輪１８との位置的干渉を避けるため、内側壁１１ｄが、比較的、車幅方向外側に配置される。このため、第１の変速ギア対８６も、比較的、車幅方向外側に配置する必要がある。その結果、第１の変速ギア対８６の一部を構成する第１のギア５８とクランクピン３４ｃとの間の距離が比較的長くなる。
【０１２０】
本実施形態では、図１４に示すように、この第１のギア５８とクランクピン３４ｃとの間に、キック軸１０２と間接的に噛合するギア１１７が設けられている。従って、車幅方向において、ギア１１７を配置するスペースを別途に確保する必要がない。よって、エンジンユニット２０の車幅方向の大きさを小さくすることができる。
【０１２１】
なお、第１のギア５８とクランクピン３４ｃとの間の間隔は、単気筒エンジンやＶツインエンジンにおいて特に大きくなる傾向にある。このため、本実施形態の構成は、単気筒エンジンやＶツインエンジンを備えるエンジンユニットに対して特に効果的である。
【０１２２】
ところで、キックスタータを軽量化する観点からは、キック軸とクランク軸との間に中間軸を配置しない方が好ましい。しかしながら、この場合、キック軸に設けられたギアとクランク軸に設けられたギアとを直接噛合させる必要がある。このため、キック軸とクランク軸との間の大きな減速比を確保すべく、キック軸に設けられたギアの径を大きくする必要がある。従って、キック軸に設けられたギアと、他の部材との位置的干渉が問題となり、エンジンユニットが大型化する傾向にある。
【０１２３】
それに対して本実施形態では、キック軸１０２とクランク軸３４との間に軸１０５とバランサ軸１１５とが設けられている。そして、キック軸１０２に設けられたギア１０４とクランク軸３４に設けられたギア１１７との間に複数のギア１０６，１１１，１１６，１２９が設けられている。このため、各ギア１１７，１０６，１１１，１１６，１２９の径を大きくすることなく、キック軸とクランク軸との間の減速比を大きくすることができる。従って、エンジンユニット２０を小型化することが可能となる。
【０１２４】
また、本実施形態では、キック軸１０２とクランク軸３４との間の中間軸としてバランサ軸１１５が用いられている。従って、バランサ軸１１５とは別個に中間軸を設ける場合と比較して、エンジンユニット２０を軽量化、小型化することができる。
【０１２５】
本実施形態では、キックスタータ１００と共に、セルモータ１０１も設けられている。そして、セルモータ１０１のギア１２０は、第１のギア５８よりも車幅方向の内側のデッドスペースに配置されたギア１２３と間接的に噛合している。この構成によれば、キックスタータ１００とセルモータ１０１との両方を有するエンジンユニット２０において、車幅方向における小型化を実現することができる。
【０１２６】
また、本実施形態では、第３のクラッチ７０と第４のクラッチ６６とが油圧式クラッチにより構成されている。このため、第３のクラッチ７０と第４のクラッチ６６とにおいて、クラッチの断続が比較的迅速に行われる。言い換えれば、クラッチの断続時において、第３のクラッチ７０や第４のクラッチ６６が比較的長い時間にわたって滑り続けることがない。このため、第３のクラッチ７０と第４のクラッチ６６とにおけるエネルギーロスの大きさが比較的小さくなる。よって、スクータ型車両１の燃費を向上させることができる。
【０１２７】
スクータ型車両１の燃費を向上させる観点のみからは、第３のクラッチ７０及び第４のクラッチ６６と共に、第１のクラッチ５５及び第２のクラッチ５９も油圧式クラッチにすることが好ましい。しかしながら、油圧式クラッチは、断続が比較的迅速に行われる。このため、第１のクラッチ５５を油圧式クラッチにした場合、発進時にいきなり第１のクラッチ５５がつながることとなる。このため、スムーズな発進が困難となる。従って、スムーズな発進と燃費の向上とを両立させることができない。
【０１２８】
それに対して、本実施形態では、第１速の第１の変速ギア対８６に対して設けられた第１のクラッチ５５は遠心クラッチである。遠心クラッチは、油圧式クラッチと比べてゆっくりとクラッチが断続される。このため、車両のなめらかな発進が実現される。即ち、第１速の第１の変速ギア対８６に対する第１のクラッチ５５を遠心クラッチにすると共に、それよりも高速側の変速ギア対に対するクラッチの少なくともひとつを油圧式クラッチにすることで、燃費の向上を図ると共に、スムーズな発進を実現することができる。特に車両のなめらかな発進、加速を実現する観点から、第２のクラッチ５９も遠心クラッチにすることが好ましい。
【０１２９】
尚、第１、２速用の第１のクラッチ５５や第２のクラッチ５９は、遠心クラッチであっても、それほどの長期間にわたって滑り続けることがない。また、第１速や第２速の走行の頻度は、相対的に少ない。すなわち、全走行時間に占める第１速や第２速の走行時間の割合は、比較的少ない。よって、第１のクラッチ５５や第２のクラッチ５９を遠心クラッチにした場合であってもそれほど燃費は低下しない。
【０１３０】
但し、加速のなめらかさよりも燃費の向上を優先する場合は、第１のクラッチ５５のみを遠心クラッチとし、それ以外のクラッチを油圧式クラッチとしてもよい。
【０１３１】
つまり、本実施形態のように、油圧式クラッチを２つ以上用いることで、さらなる燃費の向上が図られる。
【０１３２】
本実施形態では、第１のクラッチ５５が遠心クラッチであるため、スロットル操作子の操作量や車速、車両の加速度などに応じて、第１のクラッチ５５のつながり具合が適宜変化する。このため、第１のクラッチ５５を遠心クラッチにすることで、ライダーの意図を反映した運転が可能となる。
【０１３３】
例えば、ライダーが比較的大きな加速度で発進すべく、スロットル操作子を大きく操作した場合は、第１のクラッチ５５が比較的迅速につながり、比較的大きな加速度での発進が行われる。その一方、ライダーが比較的小さな加速度でスムーズに発進すべく、スロットル操作子を小さく操作した場合は、第１のクラッチ５５が比較的ゆっくりとつながり、比較的小さな加速度でスムーズに発進する。よって、高いドライバビリティが実現される。
【０１３４】
遠心クラッチの断続のタイミングは、エンジン回転数によって決定されるのに対して、油圧式クラッチであれば、ＥＣＵ１３８の制御によって自由に断続のタイミングをコントロールすることができる。つまり、油圧式クラッチを２つ以上用いることによって、変速装置３１の制御の自由度がより高まる。具体的には、走行状態やライダーの操作に基づいて、クラッチの断続制御を細かく調節することができる。具体的には、スロットル開度と車速とのうちの少なくとも一方に基づいてクラッチの断続制御を細かに行うことができる。
【０１３５】
例えば、本実施形態のように、複数の油圧式クラッチを用いる場合、それら複数の油圧式クラッチを同一の回転軸上に配置することが好ましい。具体的に本実施形態の場合であれば、油圧式クラッチである第３のクラッチ７０と第４のクラッチ６６とを同一の第２の回転軸５４に配置することが好ましい。そうすることで、油圧式クラッチへのオイル供給経路を比較的シンプルにすることができる。よって、変速装置３１の構成をよりシンプルにすることができる。
【０１３６】
また、内部にオイル供給経路を形成する回転軸の数量を低減することができる。よって、変速装置３１の製造が容易となり、製造コストも低減させることができる。
【０１３７】
特に変速装置３１の構成をシンプルにする観点から、本実施形態のように、遠心クラッチが取り付けられた回転軸と、油圧式クラッチが取り付けられた回転軸とを別にすることが好ましい。具体的に、本実施形態の場合では、遠心クラッチである第１のクラッチ５５と第２のクラッチ５９とを入力軸５２に設け、油圧式クラッチである第３のクラッチ７０と第４のクラッチ６６とを第２の回転軸５４に設けることが好ましい。
【０１３８】
《変形例１》
上記実施形態では、第１のクラッチ５５のアウタ５７と、第２のクラッチ５９のアウタ６１とが同一の部材により構成されている例について説明した。但し、本発明は、この構成に限定されない。例えば、図１５に示すように、第１のクラッチ５５のアウタ５７と、第２のクラッチ５９のアウタ６１とを別個に設けてもよい。
【０１３９】
《変形例２》
上記実施形態では、第８のギア７８に対して一方向回転伝達機構９３が配置されている例について説明した。但し、本発明は、この構成に限定されない。例えば、図１６に示すように、一方向回転伝達機構９３を第７のギア７４に対して配置してもよい。
【０１４０】
《変形例３》
上記実施形態では、第２のギア６３に対して一方向回転伝達機構９６が配置されている例について説明した。但し、本発明は、この構成に限定されない。例えば、図１７に示すように、一方向回転伝達機構９６を第１のギア５８に対して配置してもよい。
【０１４１】
《変形例４》
上記実施形態では、本発明を実施した好ましい形態の例について、４速の変速装置３１を例に挙げて説明した。但し、本発明はこれに限定されない。例えば、変速装置３１は５速以上であってもよい。その場合、第３の回転軸６４と出力軸３３との間にさらなる回転軸を２軸設け、その２軸に、さらなるクラッチと、さらなる変速ギア対を設けることが考えられる。
【０１４２】
また、例えば、変速装置３１は、図１８に示すように、３速の変速装置であってもよい。具体的に、３速の変速装置を構成する場合、図１８に示すように、図４に構成を表す変速装置３１の第４のクラッチ６６と第２の変速ギア対９０とを設けない構成とすることが考えられる。
【０１４３】
さらには、変速装置３１は、２速の変速装置であってもよい。
【０１４４】
《その他の変形例》
上記実施形態では、入力軸５２とクランク軸３４とが一体に形成されている例について説明した。但し、本発明はこの構成に限定されない。入力軸５２とクランク軸３４とは異軸により構成されていてもよい。その場合、入力軸５２の軸心とクランク軸３４の軸心とが略直線上に配置されていることが好ましい。
【０１４５】
上記実施形態ではエンジン３０が単気筒エンジンである例について説明した。但し、本発明において、エンジン３０は、単気筒エンジンに限定されない。エンジン３０は、例えば、２気筒エンジンなどの多気筒のエンジンであってもよい。
【０１４６】
上記実施形態では、出力軸３３と第３の回転軸６４とがそれぞれ別個に設けられている例について説明した。但し、本発明はこの構成に限定されない。出力軸３３と第３の回転軸６４とは共通であってもよい。言い換えれば、第３の回転軸６４に対して後輪１８が取り付けられていてもよい。
【０１４７】
尚、上記実施形態及び各変形例では、ギア対が直接噛合している例について説明した。但し、本発明は、これに限定されない。ギア対は、別途設けられたギアを介して間接的に噛合していてもよい。
【０１４８】
《本明細書における用語等の定義》
本明細書において、「モーターサイクル」とは、所謂狭義のモーターサイクルに限定されない。「モーターサイクル」は、所謂広義のモーターサイクルを意味する。具体的に、本明細書において「モーターサイクル」は、車両を傾斜させることによって方向転換を行う車両全般をいう。「モーターサイクル」は、前輪及び後輪のうちの少なくとも一方が複数の車輪により構成されていてもよい。具体的には、「モーターサイクル」は、前輪及び後輪のうちの少なくとも一方が相互に隣接して配置された２つの車輪によって構成されている車両であってもよい。「モーターサイクル」には、狭義のモーターサイクル、スクータ型車両、モペット型車両及びオフロード型車両が少なくとも含まれる。
【０１４９】
「遠心クラッチ」とは、入力側クラッチ部材と出力側クラッチ部材とを有し、入力側クラッチ部材の回転速度が所定の回転速度以上であるとき、入力側クラッチ部材と出力側クラッチ部材とが係合してつながる一方、入力側クラッチ部材の回転速度が所定の回転速度未満であるとき、入力側クラッチ部材と出力側クラッチ部材とが離れて切断されるクラッチをいう。
【産業上の利用可能性】
【０１５０】
本発明は、有段式自動変速装置及びモーターサイクル等の車両に有用である。
【図面の簡単な説明】
【０１５１】
【図１】実施形態に係るスクータ型車両の左側面図である。
【図２】エンジンユニットの断面図である。
【図３】エンジンユニットの部分断面図である。
【図４】エンジンユニットの構成を表す模式図である。
【図５】エンジンユニットの回転軸配置を説明するための模式的な部分断面図である。
【図６】下流側クラッチ群の構成を表すエンジンユニットの部分断面図である。
【図７】オイル回路を表す概念図である。
【図８】オイルフィルタ等を説明するためのエンジンユニットの部分断面図である。
【図９】変速装置における１速時の動力伝達経路を説明するための模式図である。
【図１０】変速装置における２速時の動力伝達経路を説明するための模式図である。
【図１１】変速装置における３速時の動力伝達経路を説明するための模式図である。
【図１２】変速装置における４速時の動力伝達経路を説明するための模式図である。
【図１３】実施形態におけるエンジンユニットの断面図である。
【図１４】エンジンユニットの部分断面図である。
【図１５】変形例１におけるエンジンユニットの構成を表す模式図である。
【図１６】変形例２におけるエンジンユニットの構成を表す模式図である。
【図１７】変形例３におけるエンジンユニットの構成を表す模式図である。
【図１８】変形例４におけるエンジンユニットの構成を表す模式図である。
【符号の説明】
【０１５２】
１      スクータ型車両（モーターサイクル）
１１      ケーシング
１１ａ    変速装置収納部
１１ｃ    外側壁
１１ｄ    内側壁
１８      後輪（車輪）
２０      エンジンユニット（パワーユニット）
２４      キックペダル
２９      動力伝達機構
３０      エンジン
３１      変速装置
３３      出力軸
３４      クランク軸
３４ｃ    クランクピン
３６      コンロッド
４７      キック用伝達ギア対
５１      変速装置室
５２      入力軸
５３      第１の回転軸
５５      第１のクラッチ
５６      インナ（入力側クラッチ部材）
５７      アウタ（出力側クラッチ部材）
５８      第１のギア（第１の変速用ギア）
５９      第２のクラッチ
６０      インナ（入力側クラッチ部材）
６１      アウタ（出力側クラッチ部材）
６２      第１１のギア（第３の変速用ギア）
６３      第２のギア（第２の変速用ギア）
６５      第１２のギア（第４の変速用ギア）
８３      第４の変速ギア対（第２のギア対）
８６      第１の変速ギア対（第１のギア対）
１０１      セルモータ
１０２      キック軸
１０４      ギア（第１のキック用ギア）
１０５      軸（中間軸）
１０６      ギア（第２のキック用ギア）
１１１      ギア（第３のキック用ギア）
１１５      バランサ軸（別の中間軸）
１１６      ギア（第４のキック用ギア）
１１７      ギア（第６のキック用ギア）
１２０      ギア（セルモータ用ギア）
１２９      ギア（第５のキック用ギア）
【図１】
0004331785.tif 000002
【図２】
0004331785.tif 000003
【図３】
0004331785.tif 000004
【図４】
0004331785.tif 000005
【図５】
0004331785.tif 000006
【図６】
0004331785.tif 000007
【図７】
0004331785.tif 000008
【図８】
0004331785.tif 000009
【図９】
0004331785.tif 000010
【図１０】
0004331785.tif 000011
【図１１】
0004331785.tif 000012
【図１２】
0004331785.tif 000013
【図１３】
0004331785.tif 000014
【図１４】
0004331785.tif 000015
【図１５】
0004331785.tif 000016
【図１６】
0004331785.tif 000017
【図１７】
0004331785.tif 000018
【図１８】
0004331785.tif 000019